(57)【要約】      （修正有）【課題】産科分娩台や医療用治療台において、ベットフェンスや新生児の補助ベットとして使用でき、患者の乗り降りやストレッチャーなどへの移載や手術などの邪魔にならず、またベットフェンス不使用時にはベットフェンスを保管する場所を必要としないベットフェンスを提供する。【解決手段】新生児を寝かせるための補助背凭れ５ｂと分娩時に患者が握る握り棒５ｃを有するベットフェンス５に設けられる操作レバー９ａの回転操作により、前記ガイドレールに対して着脱自在かつ摺動自在に設け、前記ガイドレールの適宜位置でロックかつロック解除できるようにした。【選択図】図４
0003160891.tif 000002
【実用新案登録請求の範囲】
【請求項１】
産科分娩台や医療用治療台等の医療用台の背凭れの側部ならびに頂部に設けられるガイドレールに取り付けられるベットフェンスであって、
新生児を寝かせるための補助背凭れと分娩時に患者が握る握り棒を有するベットフェンスと、該ベットフェンスに設けられる操作レバーの回転操作により前記ガイドレールに対して着脱自在かつ摺動自在に設けられ、前記ガイドレールの適宜位置に移動自在に設けられることを特徴とする医療用台におけるベットフェンス。
【請求項２】
前記ベットフェンスが前記ガイドレールに対してロックかつロック解除できるようにした請求項１記載の医療用台におけるベットフェンス。
【請求項３】
補助背凭れと握り棒が取り付けられるベットフェンスの基台に設けられる基板と、該基板に設けられ前記ガイドレールが嵌る係止溝を有するブラケットと、前記ブラケットに設けられる軸杆部と、該軸杆部に挿通して設けられる支軸と、該支軸に対して回転自在に設けられる回転杆と、前記回転杆には、外側方向に設けられる操作レバーと内側方向に設けられるガイド片とで構成される操作部と、該操作部の前記回転杆とガイド片との間に前記ガイドレールの受け溝が設けられるとともに、前記操作レバーを上方向に引き上げることにより前記受け溝を傾斜させてガイドレールに誘導することによって前記係止溝をガイドレールに係止させて前記ベットフェンスを取り付けるようにしたことを特徴とする請求項１記載の医療用台におけるベットフェンス。
【請求項４】
前記回転杆はバネにより受け溝がガイドレールに係止する方向に付勢されるようにしたことを特徴とする請求項３記載の医療用台におけるベットフェンス。
【請求項５】
前記ガイド片をガイドレールに誘導させることにより、前記係止溝をガイドレール上に簡易に係止させるようにしたことを特徴とする請求項３記載の医療用台におけるベットフェンス。
【考案の詳細な説明】
【技術分野】
【０００１】
本考案は、産科分娩台や医療用治療台などの医療用台に取り付けるベットフェンスに関する。
【背景技術】
【０００２】
従来における医療用のベットフェンスは、例えば、特許文献１に開示されているように、医療用台における背凭れの上部に固定され患者が握るための把持杆（ベットフェンス）が開示され、陣痛時に患者が握れるように起立した状態で取付けられ、患者が握るための怒責グリップなどが固定して設けられているものがある。
【０００３】
また特許文献２に記載されるベットフェンスは、背凭れが起伏連動する検診台において、手摺りが背凭れに対して着脱自在に設けられるとともに、背凭れが起立している時は、手摺り前上端部が手摺り下端部よりも前方且つ前方に傾斜し、また背凭れが伏倒時、すなわちベット状態になった時は手摺り前上端部が最上位に位置するように設けられベットフェンスとしての役目を行っている。
【０００４】
このベットフェンスは、身重な妊婦や高齢者などの患者の乗り降りの際に支えとなり、かつ簡易に脱着でき、車椅子等からの移載も容易に行えるようになっている。
また検診時に麻酔等の必要な処置が行った場合においても容易に患者をストレッチャー等への移載等を行うことができるようになっている。
【０００５】
さらには特許文献３では、寝台のベットフェンスが開示されているが、この寝台のベットフェンスは、産婦人科分娩台や医療用ベット等の寝台の所望位置において背面側に少なくとも２つの軸受けを取付け、該軸受けにスライ
ドシャフトを摺動、かつ、回転自在に軸支されている。
【０００６】
これによると、該スライドシャフトの前記寝台より側面に突出した先端にフェンスを取付け、前記スライドシャフトを引き出し、ベットフェンスを寝台の上方側に回転することにより、前記ベットフェンスを寝台の上側に固定してベットフェンスとして使用し、患者の乗り降りやストレッチャーなどに移載させる時またベットフェンスを使用しない時などは該ベットフェンスを回動させて寝台の下方に退避させられるようになっている。
【先行技術文献】
【特許文献】
【０００７】
【特許文献１】特開２００６−３２５７０６号公報
【特許文献２】実用新案登録第３０４７９４９号公報
【特許文献３】特開平１１−３１９００５号公報
【考案の概要】
【考案が解決しようとする課題】
【０００８】
ところで、特許文献１にあっては、医療用台における背凭れの上部に固定され患者が握るための把持杆（ベットフェンス）が開示され、陣痛時に患者が握るための怒責グリップが別途固定して設けられているため、患者の乗り降りやストレッチャーなどに移載させる際などはベットフェンスが邪魔になるなどの問題があり、医療台自体が重くなるという課題がある。
【０００９】
また特許文献２にあっては、手摺りが背凭れに対して着脱自在に設けられているため、背凭れが起立している時には手摺りとして身重な妊婦や高齢者などの患者の乗り降りの支えとなり、背凭れが伏倒しているベット状態になった時はベットフェンスとして使用できるようになっており、不使用時には手摺りを外して、患者の乗り降りやストレッチャーなどへの移載ができるようになっているものの、外した手摺りを別の場所に保管しなければならないなどの課題があった。
【００１０】
さらに特許文献３にあっては、ベットフェンスを回転式として、ベットフェンスとして使用する場合は、ベットの上方部に位置させてベットフェンスとして使用し、患者の乗り降りやストレッチャーなどへの移載また不使用時には、前記ベットフェンスを回転させてベットの側方下部に収容できるように構成されているが、この産科分娩台や医療用治療台などで帝王切開などの手術を行う際などはベットに密接して行われるため、この収容されたベットフェンスに医師などの足が当たるなどの問題があった。
【００１１】
以上のことから、このような産科分娩台や医療用治療台等の医療用台においては、ベットフェンスとしても使用でき、患者の乗り降りやストレッチャーなどへの移載や手術などのベットフェンスが邪魔にならず、またベットフェンス不使用時にはこのベットフェンスを別の場所などに保管場所を確保する必要がない医療用台のベットフェンスを提供せんとするものである。
【課題を解決するための手段】
【００１２】
本考案の医療台におけるベットフェンスは、前記した目的を達成せんとするもので、請求項１の手段は、産科分娩台や医療用治療台等の医療用台の背凭れの側部ならびに頂部に設けられるガイドレールに取り付けられるベットフェンスであって、
新生児を寝かせるための補助背凭れと分娩時に患者が握る握り棒を有するベットフェンスと、該ベットフェンスに設けられる操作レバーの回転操作により前記ガイドレールに対して着脱自在かつ摺動自在に設けられ、前記ガイドレールの適宜位置に移動自在に設けられるようにした。
【００１３】
請求項２の手段は、前記ベットフェンスが前記ガイドレールに対してロックかつロック解除できるようにした。
【００１４】
請求項３の手段は、補助背凭れと握り棒が取り付けられるベットフェンスの基台に設けられる基板と、該基板に設けられ前記ガイドレールが嵌る係止溝を有するブラケットと、前記ブラケットに設けられる軸杆部と、該軸杆部に挿通して設けられる支軸と、該支軸に対して回転自在に設けられる回転杆と、前記回転杆には、外側方向に設けられる操作レバーと内側方向に設けられるガイド片とで構成される操作部と、該操作部の前記回転杆とガイド片との間に前記ガイドレールの受け溝が設けられるとともに、前記操作レバーを上方向に引き上げることにより前記受け溝を傾斜させてガイドレールに誘導することによって前記係止溝をガイドレールに係止させて前記ベットフェンスを取り付けるようにした。
【００１５】
請求項４の手段は、前記回転杆はバネにより受け溝がガイドレールに係止する方向に付勢されるようにした。
【００１６】
請求項５の手段は、前記ガイド片をガイドレールに誘導させることにより、前記係止溝をガイドレール上に簡易に係止させるようにした。
【考案の効果】
【００１７】
本考案の医療用台におけるベットフェンスは、患者が横たわったり、くつろいだりする際、ベットのフェンスとしての役目だけでなく、このベットフェンスには分娩後に新生児を寝かせるための広いスペースを確保でき母子共にに同じ場所で過ごすことができ、また合わせて、陣痛時や出産時に患者が握るための握り棒が設けられ、適宜位置を移動させることができるため、患者の体形に合わせて適宜高さ位置に握り棒を設けることができ、患者は安心また安定して出産が行え、また治療などを受けることができる。
【００１８】
また患者が乗り降りする際や患者をストレッチャーなどへ移載させる際などは、従来のものであればベットフェンスが邪魔になるなどの問題があり、またベットフェンスが取り外しできるものであっても置き場所に苦労するなどの問題があったが、本考案によれば、ベットフェンスを容易に外すことができ、かつ産科分娩台や医療台に設けられるサイドレールの適宜位置に取り付けて移動させることができるため、患者が乗り降りする際はベットフェンスを簡易に外せ、患者が安心して乗り降りでき、またストレッチャーなどへ移載させる際なども同様に簡易に移載させることができる。
【００１９】
また手摺りが背凭れに対して着脱自在かつ摺動自在に設けられているため、患者の身長や体形に合わせて適宜高さ位置に移動させることができ、該ベットフェンスを固定させることができるために背凭れが起立している状態においてもロックおよびロック解除することができる。
【００２０】
さらには産科分娩台や医療用治療台などで帝王切開などの手術を行う際などは、医師はベットに密接して手術などが行われるが、本考案によると、ベットフェンスなどに医師などの足が当たるなどの問題がなく、医師は手術などの際に安心して手術ができ、苦痛を伴うこともない。
【図面の簡単な説明】
【００２１】
【図１】産科分娩台の背凭れが起きた状態の全体図である。
【図２】産科分娩台の背凭れが寝た状態の全体図である。
【図３】サイドフェンスを移動させた状態の全体図である。
【図４】サイドフェンスの全体図である。
【図５】サイドフェンスの操作部の拡大図である。
【図６】サイドフェンスを取り付ける直前の断面図である。
【図７】サイドフェンスを取り付けた状態の断面図である。
【考案を実施するための形態】
【００２２】
以下、本考案に係る医療用台におけるベットフェンスの実施例を図面とともに説明する。
図１は産科分娩台の背凭れが起きた状態の全体図、図２は産科分娩台の背凭れが寝た状態の全体図、図はサイドフェンスを移動させた状態の全体図、図４はサイドフェンスの全体図、図はサイドフェンスの操作部の拡大図、図６はサイドフェンスを取り付ける直前の断面図、図７はサイドフェンスを取り付けた状態の断面図である。
【００２３】
本考案の実施例について説明すると、
１は医療用台の基台、２はシート、３は背凭れであり、３ａは背凭れ３の側面に設けられるガイドレール、３ｂは背凭れ３の上面部に設けられるガイドレールである。
４は支脚器であり、４ａは回転リンクであり、患者の足を載せて、分娩時などに屈曲また開脚させて使用するようになっている。
【００２４】
５はベットフェンスであり、５ａはベットフェンスの基台、５ｂは出産後に新生児などを妊婦の隣に寝かすためのスペースを確保する補助背凭れであり、５ｃは陣通時や分娩時などに妊婦がいきむ時に握る握り棒である。
６はベットフェンスの基台５ａに設けられる基板であり、７は前記基板６にネジ等で取り付けられるブラケットである。
７ａは前記ガイドレール３aが嵌る係止溝であり、７ｂは後述する支軸８が挿通する軸杆部である。
【００２５】
８は前記軸杆部に軸支される支軸である。
９は前記ベットフェンス５を着脱させるための操作部であり、９ａは操作レバー、９ｂは操作レバー９ａが取り付けられ、支軸８に対して回転自在に設けられる回転杆であり、９ｃは前記背凭れ３に設けられるガイドレール３ａまたは３ｂに装着される受け溝である。
９ｄは背凭れ下部内側方向に傾斜し、前記操作レバー８ａに相対抗して設けられるガイド片である。
【００２６】
１０は前記操作レバー９ａを内側方向に付勢させるためのバネであり、前記係止溝７ａが前記ガイドレール３ａに係止する方向に付勢するように設けられている。
１１は前記ブラケット７に対して、ネジ等で回転自在に設けられるツマミであり、該ツマミ１１を締め付けることによって、前記ガイドレール３ａまたは３ｂに対してネジ部１１ａで圧接させることによってベットフェンス５を固定させるようになっている。
【００２７】
以上の構成から、産科分別台や医療用治療台などにベットフェンス５を装着する場合を説明すると、ベットフェンス５に設けられる操作レバー９ａを上方向に持ち上げ、該ガイド片９ｄをガイドレール３ａまたは３ｂの上方角に接して、傾斜しているガイド片９ｄの傾斜方向にガイドさせて下げると、ブラケット７に設けられる係止溝７ａがガイドレール３ａまたは３ｂに係止され、ベットフェンス５の基台５ａを略垂直に戻し、前記操作レバー９ａを放すとバネ１０により付勢方向に受け溝９ｃが前記ガイドレールに当接して、ベットフェンス５がガイドレールに装着される。
【００２８】
次に、前記ツマミ１１を回して、ツマミ１１のネジ部１１ａを該ガイドレール３ａまたは３ｂに当て、ツマミ１１を回して締めことによってベットフェンス５は背凭れ３に固定されるようになっている。
またベットフェンス５をガイドレール３ａまたは３ｂの別の場所に移動させる場合は、前記したベットフェンス５を装着する手順と逆の手順でベットフェンス５を外して、別の位置で同様にしてベットフェンス５を取り付けることにより適宜位置にベットフェンス５を取り付けかえることができるようになっている。
【符号の説明】
【００２９】
１          医療用台の基台
２          シート
３          背凭れ
３ａ、３ｂ  ガイドレール
４          支脚器
５          ベットフェンス
５ａ        ベットフェンスの基台
５ｂ        補助背凭れ
５ｃ        握り棒
６          基板
７          ブラケット
７ａ        係止溝
７ｂ        軸杆部
８          支軸
９          操作部
９ａ        操作レバー
９ｂ        回転杆
９ｃ        受け溝
９ｄ        ガイド片
１０        バネ
１１        ツマミ
１１ａ      ネジ部
【図１】
0003160891.tif 000003
【図２】
0003160891.tif 000004
【図３】
0003160891.tif 000005
【図４】
0003160891.tif 000006
【図５】
0003160891.tif 000007
【図６】
0003160891.tif 000008
【図７】
0003160891.tif 000009
【手続補正書】
【提出日】平成22年4月15日(2010.4.15)
【手続補正１】
【補正対象書類名】実用新案登録請求の範囲
【補正対象項目名】全文
【補正方法】変更
【補正の内容】
【実用新案登録請求の範囲】
【請求項１】
産科分娩台や医療用治療台等の医療用台の背凭れの側面ならびに頂部に設けられたガイドレールに取り付けられるベットフェンスであって、
新生児を寝かせるための補助背凭れと分娩時に患者が握る握り棒を有するベットフェンスと、該ベットフェンスに取り付けられた操作部の操作レバーを操作して前記ガイドレールに引っかけ、かつ、前記操作レバーを戻すことで前記ベットフェンスはガイドレールに対して摺動自在に取り付けられることを特徴とする医療用台におけるベットフェンス。
【請求項２】
前記ベットフェンスは前記ガイドレールに対して、前記操作部に取り付けられているツマミを回転してネジ部を締め付けることでロックされることを特徴とする請求項１記載の医療用台におけるベットフェンス。
【請求項３】
補助背凭れと握り棒が取り付けられるベットフェンスの基台に設けられる基板と、該基板に設けられ前記ガイドレールが嵌る係止溝を有するブラケットと、前記ブラケットに設けられる軸杆部と、該軸杆部に挿通して設けられる支軸と、該支軸に対して回転自在に設けられる回転杆と、前記回転杆には、外側方向に設けられる操作レバーと内側方向に設けられるガイド片とで構成される操作部と、該操作部の前記回転杆とガイド片との間に前記ガイドレールの受け溝が設けられるとともに、前記操作レバーを上方向に引き上げることにより前記受け溝を傾斜させてガイドレールに誘導することによって前記係止溝をガイドレールに係止させて前記ベットフェンスを取り付けるようにしたことを特徴とする請求項１記載の医療用台におけるベットフェンス。
【請求項４】
前記回転杆はバネにより受け溝がガイドレールに係止する方向に付勢されるようにしたことを特徴とする請求項３記載の医療用台におけるベットフェンス。
【請求項５】
前記ガイド片をガイドレールに誘導させることにより、前記係止溝をガイドレール上に簡易に係止させるようにしたことを特徴とする請求項３記載の医療用台におけるベットフェンス。
【手続補正２】
【補正対象書類名】明細書
【補正対象項目名】００１２
【補正方法】変更
【補正の内容】
【００１２】  本考案の医療用台におけるベットフェンスは、前記した目的を達成せんとするもので、請求項１の手段は、産科分娩台や医療用治療台等の医療用台の背凭れの側面ならびに頂部に設けられたガイドレールに取り付けられるベットフェンスであって、新生児を寝かせるための補助背凭れと分娩時の患者が握る握り棒を有するベットフェンスと、該ベットフェンスに取り付けられた操作部の操作レバーを操作して前記ガイドレールに引っかけ、かつ、前記操作レバーを戻すことで前記ベットフェンスはガイドレールに対して摺動自在に取り付けられることを特徴とする。
【手続補正３】
【補正対象書類名】明細書
【補正対象項目名】００１３
【補正方法】変更
【補正の内容】
【００１３】  請求項２の手段は、前記した請求項１において、前記ベットフェンスは前記ガイドレールに対して、前記操作部に取り付けられているツマミを回転してネジ部を締め付けることでロックされることを特徴とする。